(57)【特許請求の範囲】
【請求項１】
開き窓に取り付けられ、障子の開閉をガイドするとともに、障子を任意の開度位置に固定保持するための窓開度調整器であって、
前記窓開度調整器は、開閉ガイドアームの一方端が窓枠の定位置に鉛直軸周りに回転自在に連結されるとともに、開閉ガイドアームの他方端に障子の上框及び／又は下框に設けられたスライドガイドケースに内設されるとともに、スライドガイドケースに沿って移動自在とされるスライダーを備え、かつ前記スライドガイドケース内に、連設杆を介して障子に設けられたハンドルに接続され、ハンドルの回動操作によって前記連設杆と共に往復方向にスライド動作するとともに、障子を任意の開度位置に固定保持するための制動部材を備え、
前記スライドガイドケース側壁面の複数箇所に、前記連設杆側に向かってスライダー側に傾斜する斜め勾配のカム溝孔が形成されるとともに、このカム溝孔に前記制動部材の側面に設けられたピンが係合することにより前記制動部材がスライドケース内に支持されるとともに、スライド動作に伴って前記スライダーに対して接触・離隔制御され、
前記連設杆の適所に施錠ピンを設け、窓枠側に固定された施錠用係合板に対する係脱操作によって施解錠を成すようにし、
前記ハンドルを下側に向けた状態が前記施錠ピンが施錠用係合板に重なり合って施錠を成す施錠状態、前記ハンドルを水平方向まで９０°回動させた状態が前記施錠ピンが施錠用係合板から外れた解錠状態、前記ハンドルを上側に向けるように１８０°回動させた状態が前記制動部材がスライド動作し前記スライダーに対して接触することにより該スライダーを不動に固定し、障子を任意の開度位置に固定保持する障子固定状態としたことを特徴とする窓開度調整器。
【請求項２】
前記スライダー及び制動部材の接触面にはそれぞれ、相互に噛合可能な凹凸面が形成されている請求項１記載の窓開度調整器。
【請求項３】
前記スライダー及び／又は制動部材の接合面は、滑り防止処理が施されている請求項１記載の窓開度調整器。
【発明の詳細な説明】
【０００１】
【発明の属する技術分野】
本発明は、外開き窓、内開き窓、辷り開き窓等の開き窓に取り付けられ、障子の開閉をガイドするとともに、障子を任意の開度位置に固定保持するための窓開度調整器に関する。
【０００２】
【従来の技術】
従来より、開き窓においては障子の開度を所定の開度位置にて固定保持できる窓開度調整器が知られている。
【０００３】
たとえば、図９に示される窓開度調整器５０は、窓枠側に設けられるスライドガイド部材５１と、一方端が前記スライドガイド部材５１に沿って移動自在に支持されるとともに、他方端が障子の上框または下框に鉛直軸回りに回転自在に連結されるアーム部材５２とからなる障子開閉ガイド装置において、前記スライドガイド部材５１の長手方向に沿ってガイド溝５１ａを設けるとともに、所定の位置で前記ガイド溝５１ａを円形状に拡径させた拡径部５１ｂ、５１ｂ…を形成する一方、前記アーム部材５２のスライドガイド部材５１側係合部にバネ部材５３を間に介しながら前記拡径部５１ｂに係脱自在とされる係合リング５４を設け、前記係合部を押圧して拡径部５１ｂへの係合を解き障子をさらに開くと、前記係合リング５４が自動的に次の拡径部５１ｂに係合する構造とされ、各拡径部位置５１ｂ，５１ｂ…において障子を所定の開き角度で保持するようになっている。
【０００４】
さらに、図１０に示される開き窓では、前記窓開度調整器５０を窓の開閉ガイド装置５５とは別に設けた例である。
【０００５】
【発明が解決しようとする課題】
しかしながら、従来の前記窓開度調整器５０の場合には、障子の開き角度が予め複数の角度位置に設定されており、換気用と、自由に開閉できることが要求される非常進入口用との両方を兼用し得る構造ではないとともに、居住者等が任意の開き角度で障子を開放したいなどの要求に応えられるものではなかった。
【０００６】
また、上記例のように中間での停止機構も単に係合によるものが多く、構造的に堅固に固定支持できるものではなかったため、中間位置に固定したはずの障子が風で煽られたため係合が解除され、最大開き位置まで勢い付いて急激に開かれると、衝撃によってアーム部材が変形や破損したり、障子のヒンジ部が破損を起こしたり、最悪の場合には障子が落下の危機に晒されるなどの虞があった。
【０００７】
そこで本発明の主たる課題は、開き窓において、障子の開閉をガイドするとともに、障子を任意の開度位置に堅固に固定保持できるようにした窓開度調整器を提供することにある。
【０００８】
【課題を解決するための手段】
前記課題を解決するために請求項１に係る本発明として、開き窓に取り付けられ、障子の開閉をガイドするとともに、障子を任意の開度位置に固定保持するための窓開度調整器であって、
前記窓開度調整器は、開閉ガイドアームの一方端が窓枠の定位置に鉛直軸周りに回転自在に連結されるとともに、開閉ガイドアームの他方端に障子の上框及び／又は下框に設けられたスライドガイドケースに内設されるとともに、スライドガイドケースに沿って移動自在とされるスライダーを備え、かつ前記スライドガイドケース内に、連設杆を介して障子に設けられたハンドルに接続され、ハンドルの回動操作によって前記連設杆と共に往復方向にスライド動作するとともに、障子を任意の開度位置に固定保持するための制動部材を備え、
前記スライドガイドケース側壁面の複数箇所に、前記連設杆側に向かってスライダー側に傾斜する斜め勾配のカム溝孔が形成されるとともに、このカム溝孔に前記制動部材の側面に設けられたピンが係合することにより前記制動部材がスライドケース内に支持されるとともに、スライド動作に伴って前記スライダーに対して接触・離隔制御され、
前記連設杆の適所に施錠ピンを設け、窓枠側に固定された施錠用係合板に対する係脱操作によって施解錠を成すようにし、
前記ハンドルを下側に向けた状態が前記施錠ピンが施錠用係合板に重なり合って施錠を成す施錠状態、前記ハンドルを水平方向まで９０°回動させた状態が前記施錠ピンが施錠用係合板から外れた解錠状態、前記ハンドルを上側に向けるように１８０°回動させた状態が前記制動部材がスライド動作し前記スライダーに対して接触することにより該スライダーを不動に固定し、障子を任意の開度位置に固定保持する障子固定状態としたことを特徴とする窓開度調整器が提供される。
【０００９】
上記請求項１記載の発明においては、開閉ガイドアームに連結され、障子の開閉に伴って障子側の上框及び／又は下框の長手方向に沿って移動自在とされるスライダーを任意の位置で不動に固定できる制動部材を設けるようにした。したがって、障子を任意の開度位置まで開けた状態で、ハンドル操作によって前記制動部材をスライダーに接触させ不動に固定することにより障子を堅固に固定できるようになる。また、障子に掛かる力をガイドアームを介してきっちりと窓枠に伝達する構造であるため構造的にも安定したものとなる。
また、上記請求項１記載の本発明においては、前記スライダーをスライドガードケース内に収容したため、操作時に指を挟むことも無くなるとともに、外観も良好なものとなる。また、前記制動部材を操作するハンドルを障子の施錠操作用ハンドルと兼用してあるため、障子の解錠から中間開度位置での障子固定までの操作を一連の動作によって行うことができる。
【００１０】
請求項２に係る本発明として、前記スライダー及び制動部材の接触面にはそれぞれ、相互に噛合可能な凹凸面が形成されている請求項１記載の窓開度調整器が提供される。
【００１１】
上記請求項２記載の発明においては、接触面を噛合可能な凹凸面としたため、スライダーを機械的に強固に固定できるため、障子が煽られてもスライダーの固定が解除されたり、滑り出すこともない。
【００１２】
請求項３に係る本発明として、前記スライダー及び／又は制動部材の接合面は、滑り防止処理が施されている請求項１記載の窓開度調整器が提供される。
【００１３】
上記請求項３記載の発明においては、接触面にローレット掛け、ブラスト処理等の滑り防止処理を行っているため、スライダーを機械的に強固に固定できるため、障子が煽られてもスライダーの固定が解除されたり、滑り出すこともない。
【００１４】
【発明の実施の形態】
以下、本発明の実施の形態について図面を参照しながら詳述する。
【００１５】
〔参考形態例〕
図１は参考形態例に係る窓開度調整器を取り付けた開き窓の正面図（室内側からの姿図）であり、図２は図１のII−II線矢視図、図３は障子の開き状態を示す軌跡図である。
【００１６】
図示される開き窓１は、方形枠状に構成された窓枠２の内部に、一方側端部において鉛直軸回りに回動自在に支持された障子３が配設され、かつ窓上部側に開閉ガイド装置４が設けられるとともに、窓下部側に窓開度調整機構を備えた開閉ガイド装置５（以下、開度調整器という。）が夫々設けられ、図３にも示されるように、障子３を室外方向に開き、任意の開き位置にて障子３を固定保持できるようにしたものである。
【００１７】
以下、具体的に詳述すると、図１及び図４に示されるように、障子３の戸先側縦框３Ａの中間には窓の施解錠操作を成すためのグレモンハンドル６（以下、ハンドルという。）が設けられ、このハンドル６の回転軸にはピニオンギア６ａが設けられている。そして、前記縦框３Ａの内部には、前記ピニオンギア６ａに噛合するラックギア７が一体的に設けられた第１連動杆８Ａが部材長手方向に沿って配設されている。前記第１連動杆８Ａの下端には可撓性を有するベルト等によるコーナー部連動杆８Ｂの一端が接続され、縦框３Ａ下端と下框３Ｄ左端とのコーナー部を沿うように巡った後、下框３Ｄ内部に配設された第２連動杆８Ｃに前記コーナー部連動杆８Ｂの他端が接続されている。前記第２連動杆８Ｃの他端は、開度調整器５内に配設された後述の制動部材１５に接続されている。
【００１８】
したがって、前記ハンドル６を正逆方向に回動させると、前記第１連動杆８Ａ、コーナー部連動杆８Ｂおよび第２連動杆８Ｃよりなる連設杆８が縦框３Ａ及び下框３Ｄに沿って往復方向にスライド動作するようになっている。前記第１連動杆８Ａの適所には施錠ピン９、９…が配置され、窓枠２側に固定された施錠用係合板１０に対する係脱操作、すなわち室内外方向に重なり合っているときは施錠状態、重なりあっていない時は解錠状態となって障子３の施解錠を成すようになっている。
【００１９】
前記開度調整器５は、詳細には図４及び図５に示されるように、下框３Ｄに沿って設けられたスライドガイドケース１１と、一端に前記スライドガイドケース１１に沿って移動自在とされるスライダー１２を備えると共に、他端に窓枠２側にビス等によって固定される取付け用フランジ１４を備える開閉ガイドアーム１３と、前記スライドガイドケース１１内に配設されるとともに、前記第２連動杆８Ｃに連結され、前記ハンドル６の回動操作によって長手方向に沿って移動するとともに、ガイドカム機構によって前記スライダー１２に対して接触・離隔制御される制動部材１５とから構成されている。
【００２０】
さらに具体的に詳述すると、前記スライドガイドケース１１は、断面溝型を成す部材が使用され、下面側にスリット状開口１１ｂを向けた状態で下框３Ｄに固定される。スライドガイドケース１１側壁面の複数箇所、図示例では長手方向２箇所には斜め方向に沿うカム溝孔１１ａ、１１ａが形成され、このカム溝孔１１ａ、１１ａに前記制動部材１５の側面に設けられたピン１５ａ、１５ａが係合することにより前記制動部材１５がスライドガイドケース１１内に支持されている。前記制動部材１５の長手寸法は、前記スライドガイドケース１１よりは短いがほぼ近似する長さとされ、後述のスライダー１２がどの位置にあっても接触できるようになっている。
【００２１】
前記スライドガイドケース１１内の底面側にはスライダー１２が内挿されるとともに、このスライダー１２は前記スリット状開口１１ｂを通して連結ピンによりガイドアーム１３の一方端に鉛直軸回りに回動自在に連結されている。一方、前記ガイドアーム１３の他端側に設けられた取付け用フランジ１４は前記ガイドアーム１３と鉛直軸回りに回動自在に連結され、ビスにより窓枠２に固定されている。
【００２２】
前記制動部材１５及びスライダー１２の接合面（対向面）にはそれぞれ、相互に噛合可能な凹凸が形成され、ハンドル６の操作により前記制動部材１５が移動され、スライダー１２に接触した状態では、前記スライダー１２を前記凹凸面同士の噛合によって不動に固定し、障子３を任意の開度位置に固定保持するようになっている。なお、前記制動部材１５およびスライダー１２の接合面を上記例のように凹凸噛合面とするのが滑り防止の点で最も望ましいが、場合によっては、ローレット掛けやブラスト処理などの滑り防止処理を施すことによってもよい。
【００２３】
一方、窓上部側に設けられた開閉ガイド装置４は、障子３側に設けられるスライドガイド部材１７と、一方端が前記スライドガイド部材１７に沿って移動自在に支持されるとともに、他方端が取付け用フランジ１９により窓枠に鉛直軸回りに回転自在に連結される開閉ガイドアーム１８とからなる装置で、障子３の開閉をガイドするとともに、９０度開度位置で障子を制止するようになっている。なお、下框３Ｄの下面に設けられた符号２０部材は、障子３の下端にローラ２０ａを備えた障子３の下がり止め部材で、障子３の閉時に窓枠２側に設けられた走行板２１上に位置し、障子３が経時的に下がるのを防止するようになっている。
【００２４】
以上のように構成される開き窓１においては、ハンドル６が施錠位置（図２の状態）に位置決めされた状態では、前記施錠ピン９，９…が施錠用係合板１０、１０…に夫々係合し、障子３を閉鎖状態に施錠するとともに、開度調整器５では図５(A)に示されるように、制動部材１５がスライダー１２に接触した状態となっている。この状態からハンドル６を９０度回すと（図２の開き位置まで回動）、第１連動杆８Ａが上方側に移動し、施錠ピン９，９…と施錠用係合板１０，１０…との係合が解除されるとともに、図５(B)に示されるように、連設杆８のスライドによって制動部材１５が図面左方側に移動され、ガイドカム機構によってスライダー１２から離隔する位置に移動する。その後、障子３を任意の開度位置まで開いたならば、ハンドル６を元の施錠位置まで戻すと、制動部材１５が図面右方側に移動されるとともに、ガイドカム機構によってスライダー１２に接触する位置に位置決めされ、障子３を任意の開度状態のまま固定する。
【００２５】
〔本発明形態例〕
次いで、図６〜図８に示される本発明形態例に係る開き窓では、図７に示されるように、ハンドル６を下方側に向けた状態が施錠状態、ハンドル６を水平方向まで回動させた状態が解錠状態、そしてさらに９０度回して上方側に向けた状態が障子固定状態とした開度調整器５の例である。
【００２６】
本第２形態例では、ハンドル６に設けたピニオンギア６ａを第１形態例のものよりも小径として連動杆８の移動量を調整し、ハンドル６を１８０度回動させた際に、丁度制動部材１５がスライダー１２に接触するようにするとともに、スライドガイドケース１１に形成されるガイド溝孔１１ａ、１１ａの向きを逆に形成し、障子３の施錠時には図８(A)に示されるように、制動部材１５がスライダー１２から離隔した状態としてある。
【００２７】
この障子施錠状態からハンドル６を９０度回すと（図７の解錠位置まで回動）、第１連動杆８Ａが上方側に移動し、施錠ピン９，９…と施錠用係合板１０，１０…との係合が解除されるとともに、図８(B)に示されるように、連設杆８のスライドによって制動部材１５が図面左方側に移動される。この解錠時には制動部材１５はガイド溝孔１１ａ長さの約半分の距離を移動し、スライダー１２とはまだ接触していない。
【００２８】
この状態で障子３を任意の開度位置まで開いたならば、ハンドル６をさらに９０度回すと（障子固定位置まで回動）、図８(C)に示されるように、連設杆８によって制動部材１５が図面左方側にさらに移動され、スライダー１２に接触する位置に位置決めされ、障子３を任意の開度状態のまま固定する。
【００２９】
ところで、上記第１形態例及び第２形態例では、障子３の施解錠を行うハンドル６に制動部材１５の操作制御部材としての機能を持たせたが、場合によっては前記ハンドル６とは別に制動部材用操作部材を設けるようにしてもよい。また、窓上部側に開閉ガイド装置４を設け、窓下部側に開度調整器５を設けるようにしたが、前記開度調整器５を窓の上下部に夫々設けるようにしてもよい。
【００３０】
【発明の効果】
以上詳説のとおり本発明によれば、開き窓において、障子を任意の開度位置に堅固に固定保持できるようになる。また、解錠状態では自由に開放できるため換気用および非常進入口用の両方に区別なく用いることができるようになる。さらに、障子の固定機構は強力であるため、障子が風で煽られても、スライダーの固定が解除されたり、滑り出すこともない。
【図面の簡単な説明】
【図１】  参考形態例に係る窓開度調整器を取り付けた開き窓の正面図である。
【図２】  図１のII−II線矢視図である。
【図３】  障子の開き状態を示す軌跡図である。
【図４】  開度調整器５の部分拡大図である。
【図５】  制動部材１５の動作を示す、(A)は施錠及び障子固定状態図、(B)は障子開放可能状態図である。
【図６】  本発明形態例に係る窓開度調整器を取り付けた開き窓の正面図である。
【図７】  図６のVII−VII線矢視図である。
【図８】  制動部材１５の動作を示す、(A)は施錠状態図、(B)は解錠及び障子開放可能状態図、(C)は障子固定状態図である。
【図９】  従来の窓開度調整器５０を示す、(A)は平面図、(B)は側面図である。
【図１０】  従来の開度調整器５０と開閉ガイド装置５とを併設した開き窓の開き状態図である。
【符号の説明】
１…開き窓、２…窓枠、３…障子、４…開閉ガイド装置、５…開度調整器、６…ハンドル、６ａ…ピニオンギア、７…ラックギア、８…連動杆、８Ａ…第１連動杆、８Ｂ…コーナー部連動杆、８Ｃ…第２連動杆、１１…スライドガイドケース、１２…スライダー、１３…開閉ガイドアーム、１４…取付け用フランジ、１５…制動部材
【図１】
0003922525.tif 000002
【図２】
0003922525.tif 000003
【図３】
0003922525.tif 000004
【図４】
0003922525.tif 000005
【図５】
0003922525.tif 000006
【図６】
0003922525.tif 000007
【図７】
0003922525.tif 000008
【図８】
0003922525.tif 000009
【図９】
0003922525.tif 000010
【図１０】
0003922525.tif 000011